(57)【要約】【課題】給電点の接続作業を容易にして、加工コストを低減させることができると共に、給電点のレイアウトを容易にでき、しかも性能安定の向上を図ることができる平面アンテナを提供すること。【解決手段】複数のアンテナパターン（１３，１４又は１６，１７若しくは１８〜２０）が同一平面上に配置されている。しかも、前記複数のアンテナパターン（１３，１４又は１６，１７若しくは１８〜２０）の一つは給電点１５ａが設けられた給電アンテナパターンであり、前記複数のアンテナパターン（１３，１４又は１６，１７若しくは１８〜２０）の残りは前記給電アンテナパターンに隣接させられた隣接アンテナパターンである。更に、前記給電アンテナパターンと前記隣接アンテナパターンとの間隔は前記給電点１５ａに対応する部分が他の部分よりも狭く設定されている。【選択図】  図１
2004289332.tif 000002
【特許請求の範囲】
【請求項１】
複数のアンテナパターンが同一平面上に配置されていると共に、前記複数のアンテナパターンの一つは給電点が設けられた給電アンテナパターンであり、前記複数のアンテナパターンの残りは前記給電アンテナパターンに隣接させられた隣接アンテナパターンである平面アンテナであって、
前記給電アンテナパターンと前記隣接アンテナパターンとの間隔は前記給電点に対応する部分が他の部分よりも狭く設定されていることを特徴とする平面アンテナ。
【請求項２】
前記隣接アンテナパターンは前記給電アンテナパターンを挟む位置にそれぞれ配置されていることを特徴とする請求項１に記載の平面アンテナ。
【発明の詳細な説明】
【０００１】
【発明の属する技術分野】
本発明は、複数のアンテナパターンが同一平面上に隣接配置された平面アンテナに関するものである。
【０００２】
【従来の技術】
この種の平面アンテナとしては、例えば図５に示したようなものが知られている（例えば、特許文献１参照）。この図５において平面アンテナは、板状の誘電体１と、この誘電体１の一面に固着された接地導体（グランドパターン）２と、この誘電体１の他面に設けられた受信周波数帯域の異なる複数のアンテナパターン３，４を備えている。そして、各アンテナパターン３，４には給電線５，６が給電点５ａ，６ａの部分で接続されている。
【０００３】
【特許文献１】
特開平７−３０３１６号公報（段落番号「００１６」、図２）
【０００４】
【発明が解決しようとする課題】
しかしながら、この様に各アンテナパターン３，４にそれぞれ給電点５ａ，６ａを設けると、給電線５，６を配線するための穴加工を誘電体１及びグランド２に施す必要があり、加工コストが高くなるという問題があった。
【０００５】
しかも、この様に複数の給電点５ａ，６ａがあると、各給電点５ａ，６ａを回路に配線接続する必要があるため、接続作業が容易ではなかった。
【０００６】
そこで、この発明は、給電点の接続作業を容易にして、加工コストを低減させることができると共に、給電点のレイアウトを容易にでき、しかも性能安定の向上を図ることができる平面アンテナを提供することを目的とするものである。
【０００７】
【課題を解決するための手段】
この目的を達成するため、請求項１の発明は、複数のアンテナパターンが同一平面上に配置されていると共に、前記複数のアンテナパターンの一つは給電点が設けられた給電アンテナパターンであり、前記複数のアンテナパターンの残りは前記給電アンテナパターンに隣接させられた隣接アンテナパターンである平面アンテナであって、前記給電アンテナパターンと前記隣接アンテナパターンとの間隔は前記給電点に対応する部分が他の部分よりも狭く設定されている平面アンテナとしたことを特徴とする。
【０００８】
この構成によれば、給電点は一つであるので、給電点の接続作業を容易にして、加工コストを低減させることができると共に、給電点のレイアウトを容易にできる。しかも、給電点を一つにすることで、アンテナパターンを設ける誘電体や誘電体に設けられる接地導体等の穴加工部分が少なくなるので、受信の性能安定の向上を図ることができる。
【０００９】
また、請求項２の発明は、前記隣接アンテナパターンは前記給電アンテナパターンを挟む位置にそれぞれ配置されていることを特徴とする。
【００１０】
この構成によれば、３つのアンテナパターンがあっても、給電点は一つにできる。
【００１１】
【発明の実施の形態１】
以下、この発明の実施の形態１を図面に基づいて説明する。
【００１２】
図１（ａ）において、１０はこの発明にかかる平面アンテナ、１１は平面アンテナ１０の誘電体である。この誘電体１１は、平坦な面１１ａ，１１ｂを互いに反対側に有する。また、この誘電体１１は、例えばセラミック等の誘電材料から方形板状に形成されている。しかも、この誘電体１１の面（一面）１１ａには、導電層又は導電板等の接地導体（グランドパターン）１２が一体に設けられている。
【００１３】
また、誘電体１１の面（他面、同一平面）１１ｂには、隣接配置した受信周波数帯域の異なる２つのアンテナパターン１３，１４が一体に設けられている。このアンテナパターン１３は、４つの所定幅の辺１３ａ〜１３ｄを有し、面１１ｂの周縁に沿って四角形状で環状に形成されている。また、アンテナパターン１４は、４つの辺１４ａ〜１４ｄから四角形状に形成されていると共に、環状のアンテナパターン１３内に配置されている。尚、Ｓ１は辺１３ａ，１４ａの間隔、Ｓ２は辺１３ｂ，１４ｂの間隔、Ｓ３は辺１３ｃ，１４ｃの間隔、Ｓ４は辺１３ｄ，１４ｄの間隔である。
【００１４】
しかも、アンテナパターン１４は、間隔Ｓ１が間隔Ｓ２〜Ｓ４より狭くなるように（Ｓ４＞Ｓ３＝Ｓ２＞Ｓ１）、アンテナパターン１３の辺１３ａ側に偏って配置されている。そして、アンテナパターン１３の辺１３ａには、給電線１５の端部が給電点１５ａとして接続されている。これにより、アンテナパターン１３，１４の間隔は、給電点１５ａが設けられた部分（辺１３ａ）に対応する部分が他の部分よりも狭く設定されている。また、給電点１５ａは辺１３ａの内周縁に近接するように配置されている。更に、給電線１５は、図示しない受信回路に接続されている。
【００１５】
尚、この実施例では、給電点１５ａがアンテナパターン１３に設けられているので、アンテナパターン１３が給電用アンテナパターンとなり、アンテナパターン１４には給電点が設けられていないので、アンテナパターン１４が隣接アンテナパターンとなる。
【００１６】
この構成においては、アンテナパターン１３で受信した受信信号は給電線１５を介して受信回路に入力される。また、アンテナパターン１４で信号を受信すると、このアンテナパターン１３，１４間にコンデンサと同様な電気が誘起される。そして、この作用を利用して、給電点を備えないアンテナパターン１４からの受信信号が給電点１５ａを備えるアンテナパターン１３に伝達され、この受信信号が給電線１５を介して受信回路（図示せず）に入力される。この結果、各アンテナパターン１３，１４からの受信信号が一つの給電点１５ａを設けるのみで、給電することができる。
【００１７】
この様なアンテナパターン１３，１４間の電気の誘起は、辺１３ａ，１４ａ間、辺１３ｂ，１４ｂ間、辺１３ｃ，１４ｃ間、辺１３ｄ，１４ｄ間で生ずる。しかも、アンテナパターン１３，１４間の電気の誘起は間隔（ギャップ）が狭いほど起こり易い。従って、本実施例では、間隔の最も広い辺１３ｃ，１４ｃ間と比較すると、間隔の最も狭い辺１３ａ，１４ａ間で電気の誘起が発生し易くなる。従って、アンテナパターン１４で信号を受信すると、辺１３ａ，１４ａ間で電気の誘起が発生し、この誘起によりアンテナパターン１４で受信した受信信号が給電点１５ａに効率的に供給することが可能となる。
【００１８】
しかも、給電点１５ａは辺１３ａの内周縁に近接するように配置されているので、アンテナパターン１４から電気の誘起によりアンテナパターン１３に受け渡される受信信号をアンテナパターン１３の持つ抵抗による損失が少ない状態で給電点１５ａに供給できる。
【００１９】
そして、アンテナパターン１３，１４で受信した受信信号は、混合されて受信回路に入力され、受信回路で受信周波数帯域ごとに分離される。
（変形例１）
以上説明した実施例では、アンテナパターン１３に給電点１５ａを設けた例を示したが、必ずしもこれに限定されるものではない。例えば、図２（ａ）、図２（ｂ）に示したように給電点１５ａをアンテナパターン１４に設けても良い。
【００２０】
この場合、上述した実施例の給電点１５ａをアンテナパターン１４の辺１４ａに近接して設けることにより、アンテナパターン１３から電気の誘起によりアンテナパターン１４に受け渡される受信信号をアンテナパターン１４の持つ抵抗による損失が少ない状態で給電点１５ａに効率的に供給できる。
【００２１】
尚、この実施例では、給電点１５ａがアンテナパターン１４に設けられているので、アンテナパターン１４が給電用アンテナパターンとなり、アンテナパターン１３には給電点が設けられていないので、アンテナパターン１３が隣接アンテナパターンとなる。
（変形例２）
以上説明した実施例では、アンテナパターン１３を方形で環状に形成し、アンテナパターン１４を四角形状に形成した例を示したが、必ずしもこれに限定されるものではない。
【００２２】
例えば、図３（ａ）に示したように、円環状のアンテナパターン１６と、アンテナパターン１６内に偏らせて隣接配置された円形のアンテナパターン１７を設けた構成とすると共に、給電点１５ａを図３（ａ）のようにアンテナパターン１６に設けても良い。
【００２３】
この場合も、給電点１５ａは、アンテナパターン１６，１７の間隔の最も狭い部分に対応して設けられる。これにより、アンテナパターン１７で信号を受信すると、この信号によりアンテナパターン１６，１７の間隔の最も狭い部分及びその周辺で電気の誘起が発生し、アンテナパターン１７で受信した受信信号がアンテナパターン１６の給電点１５ａに供給される。
【００２４】
しかも、給電点１５ａを図３（ａ）のようにアンテナパターン１６に設けた場合には、給電点１５ａを環状のアンテナパターン１６の内周縁に近接させる。この様にすることで、電気の誘起によりアンテナパターン１７からアンテナパターン１６に受け渡される受信信号をアンテナパターン１６の持つ抵抗による損失が少ない状態で給電点１５ａに効率的に供給できる。
【００２５】
尚、図３（ａ）の実施例では、給電点１５ａがアンテナパターン１６に設けられているので、アンテナパターン１６が給電用アンテナパターンとなり、アンテナパターン１７には給電点が設けられていないので、アンテナパターン１７が隣接アンテナパターンとなる。
（変形例３）
また、変形例２では、アンテナパターン１６に給電点１５ａを設けているが、必ずしもこれに限定されるものではない。
【００２６】
即ち、給電点１５ａを図３（ｂ）のようにアンテナパターン１７に設けてもよい。この場合も、給電点１５ａは、アンテナパターン１６，１７の間隔の最も狭い部分に対応して設けられる。これにより、アンテナパターン１６で信号を受信すると、この信号によりアンテナパターン１６，１７の間隔の最も狭い部分及びその周辺で電気の誘起が発生し、アンテナパターン１６で受信した受信信号がアンテナパターン１７の給電点１５ａに供給される。
【００２７】
しかも、給電点１５ａを図３（ｂ）のようにアンテナパターン１７に設けた場合には、給電点１５ａを外周縁に近接させて設ける。この様にすることで、電気の誘起によりアンテナパターン１６からアンテナパターン１７に受け渡される受信信号をアンテナパターン１７の持つ抵抗による損失が少ない状態で給電点１５ａに効率的に供給できる。
【００２８】
尚、図３（ｂ）の実施例では、給電点１５ａがアンテナパターン１７に設けられているので、アンテナパターン１７が給電用アンテナパターンとなり、アンテナパターン１６には給電点が設けられていないので、アンテナパターン１６が隣接アンテナパターンとなる。
【００２９】
【発明の実施の形態２】
以上説明した発明の実施の形態１では、四角形で環状のアンテナパターン１３と方形のアンテナパターン１４との組み合わせ、又は円環状のアンテナパターン１６と円形のアンテナパターン１７との組み合わせの例を示したが、必ずしもこれに限定されるものではない。
【００３０】
例えば、図４に示したようなアンテナパターン１８，１９，２０との組み合わせとしても良い。このアンテナパターン１８は方形に形成され、アンテナパターン１９はアンテナ部１９ａ，１９ｂからＬ字状に形成され、アンテナパターン２０はアンテナ部２０ａ，２０ｂからＬ字状に形成されている。しかも、アンテナ部１９ａの幅Ｗ１は、アンテナ部１９ｂの幅Ｗ２より広く形成されている。
【００３１】
そして、アンテナパターン１８は誘電体１１の面１１ｂの一コーナ部に配置され、アンテナパターン１９はアンテナ部１９ａ，１９ｂがアンテナパターン１８の辺１８ａ，１８ｂと間隔をおいて隣接配置されている。また、アンテナパターン２０は、アンテナ部２０ａ，２０ｂがアンテナパターン１９のアンテナ部１９ａ，１９ｂと間隔をおいて隣接配置されている。尚、アンテナパターン２０は、面１１ｂのアンテナパターン１８とは反対側の縁部に沿って配置されている。
【００３２】
しかも、アンテナパターン１８とアンテナ部１９ａとの間隔Ｌ１はアンテナパターン１８とアンテナ部１９ｂとの間隔Ｌ２よりも狭く形成され、アンテナ部１９ａとアンテナ部２０との間隔Ｌ３はアンテナ部１９ａとアンテナ部２０との間隔Ｌ４よりも狭く設定されている。また、間隔Ｌ１，Ｌ３は同一又は略同一に形成されている。そして、アンテナパターン１９のアンテナ部１９ａの幅方向の中央又は略中央に給電点１５ａが設けられている。
【００３３】
この構成においては、アンテナパターン１９で受信した受信信号は上述したように受信回路（図示せず）に入力される。また、アンテナパターン１８で信号を受信すると、アンテナパターン１８，１９間にコンデンサと同様な電気が誘起される。そして、この作用を利用して、給電点を備えないアンテナパターン１８からの受信信号が給電点１５ａを備えるアンテナパターン１９に伝達され、この受信信号が上述したように受信回路に入力される。更に、アンテナパターン２０で信号を受信すると、アンテナパターン２０，１９間にコンデンサと同様な電気が誘起される。そして、この作用を利用して、給電点を備えないアンテナパターン２０からの受信信号が給電点１５ａを備えるアンテナパターン１９に伝達され、この受信信号が上述したように受信回路に入力される。これらの結果、各アンテナパターン１８，１９，２０からの受信信号が一つの給電点１５ａを設けるのみで、給電することができる。
【００３４】
この様なアンテナパターン１８，１９間の電気の誘起はアンテナパターン１８の辺１８ａとアンテナパターン１９のアンテナ部１９ａとの間で生じ、アンテナパターン１９，２０間の電気の誘起はアンテナパターン１９のアンテナ部１９ａとアンテナパターン２０のアンテナ部２０ａとの間で生じる。しかも、アンテナパターン１８，１９間の電気の誘起及びアンテナパターン１９，２０間の電気の誘起は間隔（ギャップ）が狭いほど起こり易い。
【００３５】
そして、本実施例では、間隔Ｌ１〜Ｌ４を比較すると、アンテナパターン１８の辺１８ａとアンテナパターン１９のアンテナ部１９ａとの間隔Ｌ１はアンテナパターン１８の辺１８ｂとアンテナパターン１９のアンテナ部１９ｂとの間隔Ｌ２より狭く形成され、アンテナパターン１９のアンテナ部１９ａとアンテナパターン２０のアンテナ部２０ａとの間隔Ｌ３はアンテナパターン１９のアンテナ部１９ａとアンテナパターン２０のアンテナ部２０ｂとの間隔Ｌ４より狭く形成されている。故に、狭い間隔Ｌ１のアンテナパターン１８の辺１８ａとアンテナ部１９ａとアンテナパターン１９のアンテナ部２０ａとの間、及び狭い間隔Ｌ３のアンテナパターン１９のアンテナ部１９ａとアンテナパターン２０のアンテナ部２０ａとの間で電気の誘起が発生し易くなる。
【００３６】
従って、アンテナパターン１８で信号を受信すると、アンテナパターン１８の辺１８ａとアンテナパターン１９のアンテナ部１９ａとの間で電気の誘起が発生する。また、アンテナパターン２０で信号を受信すると、アンテナパターン２０のアンテナ部２０ａとアンテナパターン１９のアンテナ部１９ａとの間で電気の誘起が発生する。しかも、この様な誘起によりアンテナパターン１８，２０で受信した受信信号が給電点１５ａに効率的に供給することが可能となる。そして、アンテナパターン１８，１９，２０で受信した受信信号は、混合されて受信回路に入力され、受信回路で受信周波数帯域ごとに分離される。
【００３７】
尚、本実施の形態では、アンテナパターン１９に給電点１５ａが設けられているので、アンテナパターン１９が給電アンテナパターンであり、給電点が設けられていないアンテナパターン１８，２０が隣接アンテナパターンとなる。
【００３８】
以上説明したように、この発明の実施の形態の平面アンテナでは、複数のアンテナパターン（１３，１４又は１６，１７若しくは１８〜２０）が同一平面上に配置されている。しかも、前記複数のアンテナパターン（１３，１４又は１６，１７若しくは１８〜２０）の一つは給電点１５ａが設けられた給電アンテナパターンであり、前記複数のアンテナパターン（１３，１４又は１６，１７若しくは１８〜２０）の残りは前記給電アンテナパターンに隣接させられた隣接アンテナパターンである。更に、前記給電アンテナパターンと前記隣接アンテナパターンとの間隔は前記給電点１５ａに対応する部分が他の部分よりも狭く設定されている。
【００３９】
この構成によれば、給電点１５ａは一つであるので、給電点１５ａの接続作業を容易にして、加工コストを低減させることができると共に、給電点１５ａのレイアウトを容易にできる。しかも、給電点５ａを一つにすることで、アンテナパターンを設ける誘電体１１や誘電体１１に設けられる接地導体１２等の穴加工部分が少なくなるので、受信の性能安定の向上を図ることができる。
【００４０】
また、この発明の実施の形態の前記隣接アンテナパターンは、前記給電アンテナパターンを挟む位置にそれぞれ配置されている。この構成によれば、３つのアンテナパターンがあっても、給電点１５ａは一つにできる。
【００４１】
【発明の効果】
以上説明したように、請求項１の発明によれば、給電点は一つであるので、給電点の接続作業を容易にして、加工コストを低減させることができると共に、給電点のレイアウトを容易にできる。しかも、給電点を一つにすることで、アンテナパターンを設ける誘電体や誘電体に設けられる接地導体等の穴加工部分が少なくなるので、受信の性能安定の向上を図ることができる。
【００４２】
また、請求項２の発明によれば、３つのアンテナパターンがあっても、給電点は一つにできる。
【図面の簡単な説明】
【図１】（ａ）はこの発明にかかる平面アンテナの概略斜視図、（ｂ）は（ａ）の平面図である。
【図２】（ａ）はこの発明にかかる平面アンテナの変形例を示す概略斜視図、（ｂ）は（ａ）の平面図である。
【図３】（ａ）はこの発明にかかる平面アンテナの変形例を示す平面図、（ｂ）は（ａ）の変形例を示す平面図である。
【図４】この発明の他の実施の形態の平面アンテナの平面図である。
【図５】従来の平面アンテナの一例を示す概略斜視図である。
【符号の説明】
１１…誘電体
１２…接地導体
１３，１４…アンテナパターン
１５ａ…給電点
１６，１７…アンテナパターン
１８〜２０…アンテナパターン
【図１】
2004289332.tif 000003
【図２】
2004289332.tif 000004
【図３】
2004289332.tif 000005
【図４】
2004289332.tif 000006
【図５】
2004289332.tif 000007